(57)【要約】  本発明は端末に基づいた通信方法と端末に関する技術を提供し、そこで、端末に基づいた通信方法は、特定端末が通信基地局及び/或いはコアネットワークとの接続を確立して、前記特定端末に基づいたスモールセル基地局を構成し、その他の端末は前記スモールセル基地局によって、前記通信基地局及び/或いは前記コアネットワークとデータ交換を行う。本発明の技術特徴によってサービス品質と安全性を保障すると共に、セルネットワークのインタラクティビティとデータ送信速度を向上させ、また効率的にコスト削減することが実現できる。
2017528048.tif 000002
【特許請求の範囲】
【請求項１】
端末に基づいた通信方法であって、
特定端末が通信基地局及び/或いはコアネットワークと接続して、前記特定端末に基づいたスモールセル基地局を構成し、
その他の端末は、前記スモールセル基地局によって、前記通信基地局及び/或いは前記コアネットワークとデータ交換を行うことを特徴とする端末に基づいた通信方法。
【請求項２】
その他の端末が前記スモールセル基地局によって、前記通信基地局及び/或いは前記コアネットワークとデータ交換を行う前に、
前記特定端末は、前記その他の端末からの接続請求を受信する時、前記その他の端末に対して身分認証を行って、前記その他の端末が前記スモールセル基地局と接続することを許可するか否か確定することを特徴とする請求項１に記載の端末に基づいた通信方法。
【請求項３】
前記その他の端末が前記スモールセル基地局によって、前記通信基地局及び/或いは前記コアネットワークとデータ交換を行うステップは、
前記特定端末は、前記その他の端末が送信した第一データを受信し、且つ前記その他の端末の識別子情報によって前記第一データに対して表記し、表記された後の前記第一データを前記通信基地局及び/或いは前記コアネットワークに送信することを特徴とする請求項１に記載の端末に基づいた通信方法。
【請求項４】
前記その他の端末が前記スモールセル基地局によって、前記通信基地局及び/或いは前記コアネットワークとデータ交換を行うステップは、
前記特定端末は、前記通信基地局及び/或いは前記コアネットワークから送信した第二データを受信し、前記第二データの表記情報と前記その他の端末の識別子情報によって、前記第二データを受信した目標端末を確認し、且つ前記第二データを前記目標端末へ送信することを特徴とする請求項３に記載の端末に基づいた通信方法。
【請求項５】
前記その他の端末が前記スモールセル基地局によって、前記通信基地局及び/或いは前記コアネットワークとデータ交換を行うステップは、
前記特定端末は、前記その他の端末が送信したデータを受信し、前記その他の端末が送信したデータを前記通信基地局及び/或いは前記コアネットワークがサポートするデータ形式に処理し、処理した後のデータを前記通信基地局及び/或いは前記コアネットワークに送信することを特徴とする請求項１に記載の端末に基づいた通信方法。
【請求項６】
前記その他の端末が前記スモールセル基地局によって、前記通信基地局及び/或いは前記コアネットワークとデータ交換を行うステップは、
前記特定端末は、前記通信基地局及び/或いは前記コアネットワークが送信したデータを受信し、前記通信基地局及び/或いは前記コアネットワークが送信したデータを前記その他の端末がサポートするデータ形式に処理し、処理後のデータを前記その他の端末に送信することを特徴とする請求項５に記載の端末に基づいた通信方法。
【請求項７】
前記その他の端末が前記スモールセル基地局によって、前記通信基地局及び/或いは前記コアネットワークとデータ交換を行うステップは、
前記特定端末は、前記その他の端末とマッチングするキャリアを選択して前記その他の端末と前記通信基地局及び/或いは前記コアネットワークとの通信データを伝送することを特徴とする請求項１に記載の端末に基づいた通信方法。
【請求項８】
前記特定端末は、任意のセルの識別子を選択して仮想リンクとして表記し、且つ指定の時間周波数リソースで所定の周期を用いて前記その他の端末と交換を行う下り情報を送信することを特徴とする請求項１から７のいずれか１項に記載の端末に基づいた通信方法。
【請求項９】
前記特定端末と前記通信基地局及び/或いは前記コアネットワークとの上り通信モードは、前記特定端末と前記その他の端末との下り通信モードと同じ又は異なることを特徴とする請求項１から７のいずれか１項に記載の端末に基づいた通信方法。
【請求項１０】
前記特定端末は、有線インターフェイス或いは無線インターフェイスによって、前記通信基地局及び/或いは前記コアネットワークと接続を確立することを特徴とする請求項１から７のいずれか１項に記載の端末に基づいた通信方法。
【請求項１１】
端末において、
前記端末は、通信基地局及び/或いはコアネットワークとの接続を確立して、特定端末に基づいたスモールセル基地局を構成できる接続確立ユニットと、前記その他へ通信サービスを提供し、前記その他の端末が前記スモールセル基地局によって、前記通信基地局及び/或いはコアネットワークとデータ交換を行う交換ユニットを備えることを特徴とする端末。
【請求項１２】
前記その他の端末の接続請求を受信した時、前記その他の端末に対して身分認証を行い、前記その他の端末の前記スモールセル基地局への接続を許可するか否か確認する認証ユニットを備えることを特徴とする請求項１１に記載の端末。
【請求項１３】
前記交換ユニットは、
前記その他の端末から送信した第一データを受信するデータ受信ユニットと、前記その他の端末の識別子情報によって、前記第一データに対して表記を行う処理ユニットと、前記処理ユニットにより表記された後の第一データを前記通信基地局及び/或いはコアネットワークに送信するデータ送信ユニットと、を備えることを特徴とする請求項１１に記載の端末。
【請求項１４】
前記データ受信ユニットは、前記通信基地局及び/或いはコアネットワークから送信した第二データを受信でき、
前記処理ユニットは、前記第二データの表記情報と前記その他の端末の識別子情報によって、前記第二データの目標端末の接続を確認でき、
前記データ送信ユニットは、前記第二データを前記目標端末に送信できることを特徴とする請求項１３に記載の端末。
【請求項１５】
前記交換ユニットは、
前記その他の端末が送信したデータを受信するデータ受信ユニットと、
前記その他の端末が送信したデータを前記通信基地局及び/或いは前記コアネットワークがサポートするデータ形式に処理する処理ユニットと、
前記処理ユニットによって処理された後のデータを前記通信基地局及び/或いは前記コアネットワークに送信するデータ送信ユニットと、を備えることを特徴とする請求項１１に記載の端末。
【請求項１６】
前記データ受信ユニットは、前記通信基地局及び/或いは前記コアネットワークから送信したデータを受信でき、
前記処理ユニットは、前記通信基地局及び/或いは前記コアネットワークから送信したデータを前記その他の端末がサポートするデータ形式に処理でき、
前記データ送信ユニットは、前記処理ユニットによって処理された後のデータを前記その他の端末に送信できることを特徴とする請求項１５に記載の端末。
【請求項１７】
前記交換ユニットは、前記その他の端末とマッチングするキャリアを選択して、前記その他の端末と前記通信基地局及び/或いは前記コアネットワークとの通信データを伝送することを特徴とする請求項１１に記載の端末。
【請求項１８】
前記交換ユニットは、任意のセルの識別子を選択して仮想リンクとして表記し、且つ指定の時間周波数リソースで所定の周期を用いて前記その他の端末と交換を行う下り情報を送信することを特徴とする請求項１１から１７のいずれか１項に記載の端末。
【請求項１９】
前記交換ユニットと前記通信基地局及び/或いは前記コアネットワークとの上り通信モードは、前記交換ユニットと前記その他の端末との下り通信モードと同じ又は異なることを特徴とする請求項１１から１７のいずれか１項に記載の端末。
【請求項２０】
前記接続確立ユニットは、有線インターフェイス或いは無線インターフェイスによって、前記通信基地局及び/或いは前記コアネットワークと接続を確立することを特徴とする請求項１１から１７のいずれか１項に記載の端末。
【発明の詳細な説明】
【技術分野】
【０００１】
本発明は、通信技術分野に関し、特に端末に基づいた通信方法と端末に関するものである。
【背景技術】
【０００２】
現在、無線通信システムにおいて、ネットワークの容量をもっと向上させるため、基地局の小型化とネットワークノードの集中化が不可避な選択となっている。しかしながら、システム容量の増加と共に、いくつかの問題をもたらしており、例えば、基地局の立地困難と電力消費の問題をもたらす。室内の場合、ＷＬＡＮシステムは、ある程度これらの問題を軽減することができ、同時に、高速な室内データ送信を提供することができる。
【０００３】
現在、室内カバレッジの場合、ｆｅｍｔｏｃｅｌｌ(フェムトセル)のコストが比較的に高いし、現在、室内カバレッジに使う規模は大きくない。そして、室内ＷＬＡＮシステムに対して、非授権周波数帯域で作業しているため、ＱｏＳ（Ｑｕａｌｉｔｙ ｏｆ Ｓｅｒｖｉｃｅ,サービス品質）の保障が満足できず、また、安全性、及びセルシステムの相互運用性と速度の問題も存在するため、室内カバレッジの問題を解決するための新しい方法を検討する必要がある。
【０００４】
従って、どのようにコスト削減と室内カバレッジ規模の拡大を両方実現し、サービス品質と安全性を保障するとともに、データ送信の速度を向上することが解決必要な課題である。
【発明の概要】
【発明が解決しようとする課題】
【０００５】
本発明では、以上の技術問題の少なくともその一つの問題に基づき、端末に基づいた新しい通信方法を提案し、サービス品質と安全性を保障することと共に、セルネットワークのインタラクティビティとデータ伝送速度を向上し、効率的にコスト削減することが実現できた。
【課題を解決するための手段】
【０００６】
以上の問題点に鑑みて、本発明では端末に基づいた通信方法を提案し、特定の端末と通信基地局及び/或いはコアネットワークとの接続を確立し、前記特定端末に基づいたスモールセル基地局を構成するステップと、前記スモールセル基地局によるその他の端末と前記通信基地局及び/或いは前記コアネットワークとデータ交換を行うステップを備える通信方法である。
【０００７】
この技術特徴において、特定端末と通信基地局及び/或いはコアネットワークとの接続を確立して、スモール基地局を構成し、その他の端末は、前記特定端末から構成されたスモールセル基地局によって、通信基地局及び/或いはコアネットワークとデータ交換を行って、複数の端末が位置する区域のネットワーク状態が悪い時（例えば、室内）、通信基地局及び/或いはコアネットワークと接続を確立した特定端末によって、通信基地局及び/或いはコアネットワークとデータ交換を行って、ある程度ネットワークのカバレッジ範囲を拡大させると共に、ネットワーク信号の強度も向上させて、移動電波が室内に着いた時大きく損失してネットワーク品質が悪い問題を回避し、サービス品質と安全性を保障すると共に、セルネットワークと交換を行う時のデータ送信速度を向上させることも実現できる。また、従来技術において、ｆｅｍｔｏｃｅｌｌを採用してネットワークカバレッジを強化する方法に比べ、本発明において、機能を完備しているスマート端末（例えば、スマートフォン）によって、ネットワークカバレッジを強化する目的を実現し、効率的にコストを削減する。また、前記特定端末と通信基地局及び/或いはコアネットワークとの接続を確立する方法は、有線接続方法であって、通信の安定性を保証する。
【０００８】
この技術特徴において、その他の端末は、前記スモールセル基地局によって前記通信基地局及び/或いは前記コアネットワークとデータ交換を行う前に、前記特定端末が前記その他の端末からの接続請求を受信した時、前記その他の端末に対して身元認証を行って、前記その他の端末が前記スモールセル基地局への接続を許可するかしないかを判断するステップを備える。
【０００９】
この技術特徴において、その他の端末の接続請求を受信した後、接続待機中の端末の身元認証によって、接続請求を行った端末の接続を許可するか否かを判断し、端末の非法的なアクセスを防止することができて、通信の安全性と機密性を向上させる。
【００１０】
この技術特徴において、その他の端末が前記スモールセル基地局によって前記通信基地局及び/或いは前記コアネットワークとデータ交換を行うステップを具体的に説明すると、前記特定端末は前記その他の端末が送信した第一データを受信し、前記その他の端末の識別情報に基づいて前記第一データに対して表記し、且つ表記した前記第一データは前記通信基地局及び/或いは前記コアネットワークへ送信する。
【００１１】
この技術特徴において、第一データの受信、表記及び転送により、通信基地局及び/或いはコアネットワークは具体的に各端末が送信したデータを識別することができて、通信基地局及び/或いはコアネットワークが第一データの識別子によって各端末が送信したデータに対して適切な処理を行いやすくし、データ伝送の精度を向上させる。
【００１２】
この技術特徴において、その他の端末が前記スモールセル基地局によって前記通信基地局及び/或いは前記コアネットワークとデータ交換を行うステップは、前記特定端末は前記通信基地局及び/或いは前記コアネットワークが送信した第二データを受信し、前記第二データの表記情報と前記その他の端末の識別子情報によって前記第二データの目標端末を確定し、且つ前記第二データを前記目標端末へ送信するステップを備える。
【００１３】
この技術特徴において、通信基地局及び/或いはコアネットワークからその他の端末へデータ送信する時、前記特定端末がデータを適切な端末へ転送することを確保するため、各端末のデータに対して識別子を付ける必要があり、前記特定端末が通信基地局及び/或いはコアネットワークが送信したデータを受信する場合、データの識別子情報とその他の端末の識別情報によって、目標端末を正確に確認でき、さらに、データをその他の端末に正確に伝送する。
【００１４】
この技術特徴において、その他の端末が前記スモールセル基地局によって前記通信基地局及び/或いは前記コアネットワークとデータ交換を行うステップを具体的に説明すると、前記特定端末が前記その他の端末から送信したデータを受信し、前記その他の端末が送信したデータを前記通信基地局及び/或いは前記コアネットワークがサポートするデータ形式に処理し、且つ処理した後のデータを前記通信基地局及び/或いは前記コアネットワークへ送信する。
【００１５】
この技術特徴において、特定端末がその他の端末が送信したデータを通信基地局及び/或いはコアネットワークがサポートするデータ形式に処理することによって、通信基地局及び/或いはコアネットワークがデータに対して処理しやすくなり、効果的にその他の端末と通信基地局及び/或いはコアネットワークとの通信のスムーズ、安定を確保する。
【００１６】
この技術特徴において、その他の端末が前記スモールセル基地局によって前記通信基地局及び/或いは前記コアネットワークとデータ交換を行うステップは、さらに、前記特定端末が前記通信基地局及び/或いは前記コアネットワークが送信したデータを受信し、前記通信基地局及び/或いは前記コアネットワークが送信したデータを前記その他の端末がサポートするデータ形式に処理し、処理した後のデータを前記その他の端末へ送信するステップを備える。
【００１７】
この技術特徴において、類似に、特定端末が通信基地局及び/或いはコアネットワークが送信したデータをその他の端末がサポートするデータ形式に処理して送信するので、その他の端末がデータに対して処理しやすくなり、効果的にその他の端末と通信基地局及び/或いはコアネットワークとの通信の円滑さ、安定さを確保する。
【００１８】
この技術特徴において、その他の端末が前記スモールセル基地局によって前記通信基地局及び/或いは前記コアネットワークとデータ交換を行うステップを具体的に説明すると、前記特定端末が前記その他の端末とマッチングするキャリアを選択して前記その他の端末と前記通信基地局及び/或いは前記コアネットワークとの通信データを伝送する。
【００１９】
この技術特徴において、特定端末がキャリアアグリゲーション技術をサポートし、その他の端末はシングルキャリアを伝送する機能しか持っていない場合、特定端末は、キャリア選択技術によって、その他の端末により高いデータ伝送速度を提供し、端末と通信基地局及び/或いはコアネットワークとのデータ交換が便利になる。
【００２０】
この技術特徴において、さらに、前記特定端末がいずれかのセル識別子を仮想リンクとして表記し、且つ指定の時間周波数リソースで所定の周期で前記その他の端末と交換を行う下り情報を送信することを備える。
【００２１】
この技術特徴において、その他の端末の通信機能が強い時、前記特定端末が伝送した一部の下り情報を伝送しない、或いはより長い周期を用いて伝送すればよい。
【００２２】
この技術特徴において、前記特定端末と前記通信基地局及び/或いは前記コアネットワークとの上り通信モードは、前記特定端末と前記その他端末との下り通信モードは同じまたは異なる。
【００２３】
この技術特徴において、前記特定端末は有線インターフェイス或いは無線インターフェイスによって、前記通信基地局及び/或いは前記コアネットワークとの接続を確立する。
【００２４】
本発明ではまた端末を提案し、通信基地局及び/或いはコアネットワークとの接続を確立して、前記特定端末に基づいたスモールセル基地局を構成するために用いる接続確立ユニットと、前記その他に通信サービスを提供して、前記その他端末が前記スモールセル基地局によって前記通信基地局及び/或いは前記コアネットワークとデータ交換を行うために用いる交換ユニットを備える。
【００２５】
この技術特徴において、特定端末と通信基地局及び/或いはコアネットワークとの接続確立によって、スモールセル基地局を構成し、その他の端末は、前記特定端末により構成されたスモールセル基地局を介して、通信基地局及び/或いはコアネットワークとデータ交換を行って、複数の端末が位置する領域のネットワーク状態が悪い時（例えば室内）、通信基地局及び/或いはコアネットワークとの接続を確立した特定端末は、通信基地局及び/或いはコアネットワークとデータ交換を行うことができ、ある程度ネットワークカバレッジ範囲を拡大させることと共に、ネットワーク信号の強度を向上させ、移動電波が室内に着いた時大きく損失することでネットワーク品質が悪い問題を回避し、サービス品質と安全性を保障すると共に、セルネットワークと交換を行う時のデータ送信速度を向上させることも実現できた。また、先行技術において、ｆｅｍｔｏｃｅｌｌを採用してネットワークカバレッジを強化する方法に比べ、本発明において、機能を完備しているスマート端末（例えばスマートフォン）によってネットワークカバレッジを強化する目的と、効率的にコストを削減することを実現できる。また、前記特定端末と通信基地局及び/或いはコアネットワークと接続を確立する方法は、有線接続方法によって、通信の安定性を保証する。
【００２６】
この技術特徴において、前記その他の端末からの接続請求を受信した時、前記その他の端末に対して身分認証を行って、前記その他の端末が前記スモールセル基地局への接続を許可するか否かを判断するための認証ユニットを備える。
【００２７】
この技術特徴において、その他の端末の接続請求を受信した後、接続待機中の端末の身元認証によって、接続請求を送信した端末の接続を許可するか否かを判断し、端末の非法なアクセスを防ぐことができ、通信の安全性と機密性を向上させる。
【００２８】
この技術特徴において、前記交換ユニットは、前記その他の端末が送信した第一データを受信するデータ受信ユニットと、前記その他の端末の識別子情報によって前記第一データに対して表記する処理ユニットと、前記処理ユニットによりマークを表記された後前記第一データを前記通信基地局及び/或いは前記コアネットワークに送信するデータ送信ユニットを備える。
【００２９】
この技術特徴において、第一データの受信、表記及び転送により、通信基地局及び/或いはコアネットワークが具体的に各端末から送信したデータを識別することができて、通信基地局及び/或いはコアネットワークが第一データの識別子によって各端末が送信したデータに対して適切な処理を行いやすくし、データ伝送の精度を向上させる。
【００３０】
この技術特徴において、前記データ受信ユニットは、前記通信基地局及び/或いは前記コアネットワークが送信した第二データを受信することができ、前記処理ユニットは、前記第二データの表記情報と前記その他の端末の識別子情報に基づいて受信した前記第二データの目標端末を確定することができ、前記データ送信ユニットは、前記第二データを前記目標端末へ送信することができる。
【００３１】
この技術特徴において、通信基地局及び/或いはコアネットワークからその他の端末へデータ送信する時、前記特定端末がデータを対応する端末へ転送することを確保するため、各端末に送信したデータに対して識別を行う必要があり、前記特定端末が通信基地局及び/或いはコアネットワークから送信したデータを受信する時、データの識別子情報とその他の端末の識別子情報に基づいて、目標端末を正確に確認することができ、さらに、データをその他の端末に正確に伝送する。
【００３２】
この技術特徴において、前記交換ユニットは、前記その他の端末から送信したデータを受信するデータ受信ユニットと、前記その他の端末が送信したデータを前記通信基地局及び/或いは前記コアネットワークがサポートするデータ形式に処理する処理ユニットと、前記処理ユニットにより処理されたデータを前記通信基地局及び/或いは前記コアネットワークへ送信するデータ送信ユニットを備える。
【００３３】
この技術特徴において、特定端末がその他の端末が送信したデータを通信基地局及び/或いはコアネットワークがサポートするデータ形式に処理することで、通信基地局及び/或いはコアネットワークがデータに対して処理しやすくなり、その他の端末と通信基地局及び/或いはコアネットワークとの通信のスムーズ、安定を効率的に確保する。
【００３４】
この技術特徴において、データ受信ユニットは、前記通信基地局及び/或いはコアネットワークが送信したデータを受信ことができ、処理ユニットは、前記通信基地局及び/或いは前記コアネットワークが送信したデータを前記その他の端末がサポートするデータ形式に処理することができ、データ送信ユニットは、処理ユニットにより処理されたデータを前記その他の端末へ送信することができる。
【００３５】
この技術特徴において、類似に、特定端末が通信基地局及び/或いはコアネットワークが送信したデータをその他の端末がサポートするデータ形式に処理して送信することで、その他の端末がデータに対して処理しやすくなり、その他の端末と通信基地局及び/或いはコアネットワークとの通信の円滑さ、安定さを効率的に確保する。
【００３６】
この技術特徴において、前記交換ユニットは、前記その他の端末とマッチングするキャリアを選択して、前記その他の端末と前記通信基地局及び/或いは前記コアネットワークとの通信データを伝送する。
【００３７】
この技術特徴において、もし、特定端末がキャリアアグリゲーション技術をサポートし、その他の端末がシングルキャリアを伝送する機能しかサポートしない場合、特定端末はキャリア選択の技術によって、その他の端末により高いデータ伝送速度を提供し、端末と通信基地局及び/或いはコアネットワークとのデータ交換が便利になる。
【００３８】
この技術特徴において、前記交換ユニットは、いずれかのセル識別子を仮想リンクとして表記し、指定の時間周波数リソースで所定周期を用いて前記その他の端末と交換を行う下り情報を送信することができる。
【００３９】
この技術特徴において、その他の端末の通信機能が強い時、前記特定端末が伝送した一部の下り情報を伝送しない、或いは長い周期を用いて伝送すればよい。
【００４０】
この技術特徴において、前記交換ユニットと前記通信基地局及び/或いは前記コアネットワークとの上り通信モードは、前記交換ユニットと前記その他の端末との下り通信モードは同じまたは異なる。
【００４１】
この技術特徴において、前記接続確立ユニットは、有線インターフェイス或いは無線インターフェイスによって、前記通信基地局及び/或いは前記コアネットワークとの接続を確立することができる。
【００４２】
本技術特徴によって、ある程度ネットワークのカバレッジ範囲を拡大させることと共に、ネットワーク信号の強度も向上し、移動電波が室内に着いた時大きく損失することによるネットワーク品質が悪い問題を回避し、サービス品質と安全性を保障すると共に、セルネットワークと交換を行う時のデータ送信速度の向上も実現することができる。
【図面の簡単な説明】
【００４３】
【図１】図１は本発明の実施形態に係る端末に基づいた通信方法を示すフローチャート図である。
【図２】図２は本発明の実施形態に係る端末を示すブロック図である。
【図３】図３は本発明の実施形態に係る室内カバレッジの場合において、端末に基づいた通信方法を示す図である。
【図４】図４は本発明のもう一つの実施形態に係る室内カバレッジの場合において、端末に基づいた通信方法を示す図である。
【発明を実施するための形態】
【００４４】
本発明の上述目的、特徴とメリットについてもっと詳しく理解するため、以下、図面と具体的実施形態に基づいて、本発明について詳細に説明する。矛盾しなければ、本発明の実施形態及び実施形態の特徴はお互い結合することができる。
【００４５】
以下の説明において、本発明を十分理解するため具体的な詳細まで述べられているが、本発明はここで記載された実施形態以外の方法を採用して実施することもできるので、本発明の範囲は以下開示された実施形態によって限定されるべきではない。
【００４６】
図１は、本発明の実施形態による端末に基づいた通信方法を示すフローチャート図である。
【００４７】
図１に示したように、本発明の実施形態による端末に基づいた通信方法は、特定端末と通信基地局及び/或いはコアネットワークとの接続を確立して、前記特定端末に基づいたスモールセル基地局を構成するステップ１０２と、その他の端末は、前記スモールセル基地局と前記通信基地局及び/或いは前記コアネットワークによって、データ交換を行うステップ１０４を備える。
【００４８】
この技術特徴において、特定端末と通信基地局及び/或いはコアネットワークとの接続を確立して、スモール基地局を構成し、その他の端末は、前記特定端末から構成されたスモールセル基地局によって、通信基地局及び/或いはコアネットワークとデータ交換を行って、複数の端末が位置する区域のネットワーク状態が悪い時（例えば、室内）、通信基地局及び/或いはコアネットワークと接続を確立した特定端末によって、通信基地局及び/或いはコアネットワークとデータ交換を行って、ある程度ネットワークのカバレッジ範囲を拡大させると共に、ネットワーク信号の強度も向上させて、移動電波が室内に着いた時大きく損失してネットワーク品質が悪い問題を回避し、サービス品質と安全性を保障すると共に、セルネットワークと交換を行う時のデータ送信速度を向上させることも実現できる。また、従来技術において、ｆｅｍｔｏｃｅｌｌを採用してネットワークカバレッジを強化する方法に比べ、本発明において、機能を完備しているスマート端末（例えば、スマートフォン）によって、ネットワークカバレッジを強化する目的を実現し、効率的にコストを削減する。また、前記特定端末と通信基地局及び/或いはコアネットワークとの接続を確立する方法は、有線接続方法であって、通信の安定性を保証する。
【００４９】
この技術特徴において、その他の端末は、前記スモールセル基地局によって前記通信基地局及び/或いは前記コアネットワークとデータ交換を行う前に、前記特定端末が前記その他の端末からの接続請求を受信した時、前記その他の端末に対して身元認証を行って、前記その他の端末が前記スモールセル基地局への接続を許可するかしないかを判断するステップを備える。
【００５０】
この技術特徴において、その他の端末の接続請求を受信した後、接続待機中の端末の身元認証によって、接続請求を行った端末の接続を許可するか否かを判断し、端末の非法的なアクセスを防止することができて、通信の安全性と機密性を向上させる。
【００５１】
この技術特徴において、その他の端末が前記スモールセル基地局によって前記通信基地局及び/或いは前記コアネットワークとデータ交換を行うステップを具体的に説明すると、前記特定端末は前記その他の端末が送信した第一データを受信し、前記その他の端末の識別情報に基づいて前記第一データに対して表記し、且つ表記した前記第一データは前記通信基地局及び/或いは前記コアネットワークへ送信する。
【００５２】
この技術特徴において、第一データの受信、表記及び転送により、通信基地局及び/或いはコアネットワークは具体的に各端末が送信したデータを識別することができて、通信基地局及び/或いはコアネットワークが第一データの識別子によって各端末が送信したデータに対して適切な処理を行いやすくし、データ伝送の精度を向上させる。
【００５３】
この技術特徴において、その他の端末が前記スモールセル基地局によって前記通信基地局及び/或いは前記コアネットワークとデータ交換を行うステップは、前記特定端末は前記通信基地局及び/或いは前記コアネットワークが送信した第二データを受信し、前記第二データの表記情報と前記その他の端末の識別子情報によって前記第二データの目標端末を確定し、且つ前記第二データを前記目標端末へ送信するステップを備える。
【００５４】
この技術特徴において、通信基地局及び/或いはコアネットワークからその他の端末へデータ送信する時、前記特定端末がデータを適切な端末へ転送することを確保するため、各端末のデータに対して識別子を付ける必要があり、前記特定端末が通信基地局及び/或いはコアネットワークが送信したデータを受信する場合、データの識別子情報とその他の端末の識別情報によって、目標端末を正確に確認でき、さらに、データをその他の端末に正確に伝送する。
【００５５】
この技術特徴において、その他の端末が前記スモールセル基地局によって前記通信基地局及び/或いは前記コアネットワークとデータ交換を行うステップを具体的に説明すると、前記特定端末が前記その他の端末から送信したデータを受信し、前記その他の端末が送信したデータを前記通信基地局及び/或いは前記コアネットワークがサポートするデータ形式に処理し、且つ処理した後のデータを前記通信基地局及び/或いは前記コアネットワークへ送信する。
【００５６】
この技術特徴において、特定端末がその他の端末が送信したデータを通信基地局及び/或いはコアネットワークがサポートするデータ形式に処理することによって、通信基地局及び/或いはコアネットワークがデータに対して処理しやすくなり、効果的にその他の端末と通信基地局及び/或いはコアネットワークとの通信のスムーズ、安定を確保する。
【００５７】
この技術特徴において、その他の端末が前記スモールセル基地局によって前記通信基地局及び/或いは前記コアネットワークとデータ交換を行うステップは、さらに、前記特定端末が前記通信基地局及び/或いは前記コアネットワークが送信したデータを受信し、前記通信基地局及び/或いは前記コアネットワークが送信したデータを前記その他の端末がサポートするデータ形式に処理し、処理した後のデータを前記その他の端末へ送信するステップを備える。
【００５８】
この技術特徴において、類似に、特定端末が通信基地局及び/或いはコアネットワークが送信したデータをその他の端末がサポートするデータ形式に処理して送信するので、その他の端末がデータに対して処理しやすくなり、効果的にその他の端末と通信基地局及び/或いはコアネットワークとの通信の円滑さ、安定さを確保する。
【００５９】
この技術特徴において、その他の端末が前記スモールセル基地局によって前記通信基地局及び/或いは前記コアネットワークとデータ交換を行うステップを具体的に説明すると、前記特定端末が前記その他の端末とマッチングするキャリアを選択して前記その他の端末と前記通信基地局及び/或いは前記コアネットワークとの通信データを伝送する。
【００６０】
この技術特徴において、特定端末がキャリアアグリゲーション技術をサポートし、その他の端末はシングルキャリアを伝送する機能しか持っていない場合、特定端末は、キャリア選択技術によって、その他の端末により高いデータ伝送速度を提供し、端末と通信基地局及び/或いはコアネットワークとのデータ交換が便利になる。
【００６１】
この技術特徴において、さらに、前記特定端末がいずれかのセル識別子を仮想リンクとして表記し、且つ指定の時間周波数リソースで所定の周期で前記その他の端末と交換を行う下り情報を送信することを備える。
【００６２】
この技術特徴において、その他の端末の通信機能が強い時、前記特定端末が伝送した一部の下り情報を伝送しない、或いはより長い周期を用いて伝送すればよい。
【００６３】
この技術特徴において、前記特定端末と前記通信基地局及び/或いは前記コアネットワークとの上り通信モードは、前記特定端末と前記その他の端末との下り通信モードと同じまたは異なる。
【００６４】
この技術特徴において、前記特定端末は有線インターフェイス或いは無線インターフェイスによって、前記通信基地局及び/或いは前記コアネットワークとの接続を確立する。
【００６５】
図２は、本発明の実施形態に係る端末を示すブロック図である。
【００６６】
図２に示したように、本発明の実施形態による端末２００は、通信基地局及び/或いはコアネットワークとの接続を確立して、前記特定端末に基づいたスモールセル基地局を構成するために用いる接続確立ユニット２０２と、前記その他に通信サービスを提供して、前記その他の端末が前記スモールセル基地局によって前記通信基地局及び/或いは前記コアネットワークとデータ交換を行うために用いる交換ユニット２０４を備える。
【００６７】
この技術特徴において、特定端末と通信基地局及び/或いはコアネットワークとの接続確立によって、スモールセル基地局を構成し、その他の端末は、前記特定端末により構成されたスモールセル基地局を介して、通信基地局及び/或いはコアネットワークとデータ交換を行って、複数の端末が位置する領域のネットワーク状態が悪い時（例えば室内）、通信基地局及び/或いはコアネットワークとの接続を確立した特定端末は、通信基地局及び/或いはコアネットワークとデータ交換を行うことができ、ある程度ネットワークカバレッジ範囲を拡大させることと共に、ネットワーク信号の強度を向上させ、移動電波が室内に着いた時大きく損失することでネットワーク品質が悪い問題を回避し、サービス品質と安全性を保障すると共に、セルネットワークと交換を行う時のデータ送信速度を向上させることも実現できた。また、先行技術において、ｆｅｍｔｏｃｅｌｌを採用してネットワークカバレッジを強化する方法に比べ、本発明において、機能を完備しているスマート端末（例えばスマートフォン）によってネットワークカバレッジを強化する目的と、効率的にコストを削減することを実現できる。また、前記特定端末と通信基地局及び/或いはコアネットワークと接続を確立する方法は、有線接続方法によって、通信の安定性を保証する。
【００６８】
この技術特徴において、前記その他の端末からの接続請求を受信した時、前記その他の端末に対して身分認証を行って、前記その他の端末が前記スモールセル基地局への接続を許可するか否かを判断するための認証ユニット２０６を備える。
【００６９】
この技術特徴において、その他の端末の接続請求を受信した後、接続待機中の端末の身元認証によって、接続請求を送信した端末の接続を許可するか否かを判断し、端末の非法なアクセスを防ぐことができ、通信の安全性と機密性を向上させる。
【００７０】
この技術特徴において、前記交換ユニット２０４は、前記その他の端末が送信した第一データを受信するデータ受信ユニット２０４２と、前記その他の端末の識別子情報によって前記第一データに対して表記する処理ユニット２０４４と、前記処理ユニット２０４４によりマークを表記された後前記第一データを前記通信基地局及び/或いは前記コアネットワークに送信するデータ送信ユニット２０４６を備える。
【００７１】
この技術特徴において、第一データの受信、表記及び転送により、通信基地局及び/或いはコアネットワークが具体的に各端末から送信したデータを識別することができて、通信基地局及び/或いはコアネットワークが第一データの識別子によって各端末が送信したデータに対して適切な処理を行いやすくし、データ伝送の精度を向上させる。
【００７２】
この技術特徴において、前記データ受信ユニット２０４２は、前記通信基地局及び/或いは前記コアネットワークが送信した第二データを受信することができ、前記処理ユニット２０４４は、前記第二データの表記情報と前記その他の端末の識別子情報に基づいて受信した前記第二データの目標端末を確定することができ、前記データ送信ユニット２０４６は、前記第二データを前記目標端末へ送信することができる。
【００７３】
この技術特徴において、通信基地局及び/或いはコアネットワークからその他の端末へデータ送信する時、前記特定端末がデータを対応する端末へ転送することを確保するため、各端末に送信したデータに対して識別を行う必要があり、前記特定端末が通信基地局及び/或いはコアネットワークから送信したデータを受信する時、データの識別子情報とその他の端末の識別子情報に基づいて、目標端末を正確に確認することができ、さらに、データをその他の端末に正確に伝送する。
【００７４】
この技術特徴において、前記交換ユニット２０４は、前記その他の端末から送信したデータを受信するデータ受信ユニット２０４２と、前記その他の端末が送信したデータを前記通信基地局及び/或いは前記コアネットワークがサポートするデータ形式に処理する処理ユニット２０４４と、前記処理ユニット２０４４により処理されたデータを前記通信基地局及び/或いは前記コアネットワークへ送信するデータ送信ユニット２０４６を備える。
【００７５】
この技術特徴において、特定端末がその他の端末が送信したデータを通信基地局及び/或いはコアネットワークがサポートするデータ形式に処理することで、通信基地局及び/或いはコアネットワークがデータに対して処理しやすくなり、その他の端末と通信基地局及び/或いはコアネットワークとの通信のスムーズ、安定を効率的に確保する。
【００７６】
この技術特徴において、データ受信ユニット２０４２は、前記通信基地局及び/或いはコアネットワークが送信したデータを受信ことができ、処理ユニット２０４４は、前記通信基地局及び/或いは前記コアネットワークが送信したデータを前記その他の端末がサポートするデータ形式に処理することができ、データ送信ユニット２０４６は、処理ユニット２０４４により処理されたデータを前記その他の端末へ送信することができる。
【００７７】
この技術特徴において、類似に、特定端末が通信基地局及び/或いはコアネットワークが送信したデータをその他の端末がサポートするデータ形式に処理して送信することで、その他の端末がデータに対して処理しやすくなり、その他の端末と通信基地局及び/或いはコアネットワークとの通信の円滑さ、安定さを効率的に確保する。
【００７８】
この技術特徴において、前記交換ユニット２０４は、前記その他の端末とマッチングするキャリアを選択して、前記その他の端末と前記通信基地局及び/或いは前記コアネットワークとの通信データを伝送する。
【００７９】
この技術特徴において、もし、特定端末がキャリアアグリゲーション技術をサポートし、その他の端末がシングルキャリアを伝送する機能しかサポートしない場合、特定端末はキャリア選択の技術によって、その他の端末により高いデータ伝送速度を提供し、端末と通信基地局及び/或いはコアネットワークとのデータ交換が便利になる。
【００８０】
この技術特徴において、前記交換ユニット２０４は、いずれかのセル識別子を仮想リンクとして表記し、指定の時間周波数リソースで所定周期を用いて前記その他の端末と交換を行う下り情報を送信することができる。
【００８１】
この技術特徴において、その他の端末の通信機能が強い時、前記特定端末が伝送した一部の下り情報を伝送しない、或いは長い周期を用いて伝送すればよい。
【００８２】
この技術特徴において、前記交換ユニット２０４と前記通信基地局及び/或いは前記コアネットワークとの上り通信モードは、前記交換ユニット２０４と前記その他の端末との下り通信モードは同じまたは異なる。
【００８３】
この技術特徴において、前記接続確立ユニット２０２は、有線インターフェイス或いは無線インターフェイスによって、前記通信基地局及び/或いは前記コアネットワークとの接続を確立することができる。
【００８４】
以下、図３と図４に基づいて本発明の技術特徴について詳しく説明する。
【００８５】
本発明において、室内の場合を例として以下の解決策を提案する。
室内の場合を考量して、壁面の阻害などの要因で、室外からの移動信号の品質が悪くなることがあり、室内のカバレッジ効率をより向上させ、且つ室内の端末データ伝送速度を向上させるため、本発明では新しい形態の端末を提案する。
室内の端末において、ある端末は基地局機能を有しており、Ｔ−ＳＣ（ｔｅｒｍｉｎａｌ ｂａｓｅｄ−ｓｍａｌｌ ｃｅｌｌ）と呼び、前記Ｔ−ＳＣの選択は色々な要因に基づいて選択を行い、例えば、通信標準、端末機能、アンテナ個数、端末処理機能等がある。前記Ｔ−ＳＣは、以下のような全部或いは一部の機能持つべきである。
1）前記Ｔ−ＳＣは、一般端末が持つすべての機能を有し、即ち、前記Ｔ−ＳＣは一般の端末としてサポートしているネットワークにおいて正常に作業できる。
2）前記Ｔ−ＳＣは、複数の通信標準をサポートできる機能を有し、現在存在する移動通信標準である例えば、ＧＳＭ（登録商標）、ＷＣＤＭＡ（登録商標）、ＣＤＭＡ２０００、ＴＤ−ＳＣＤＭＡ、ＦＤＬＴＥ、ＴＤ−ＬＴＥ等を挙げられるが、これらに限定されない。
3）前記Ｔ−ＳＣは、一般基地局のＬ１層が持つすべての機能を有し、即ち、前記Ｔ−ＳＣは、基地局としてその他の端末からのデータを受信する。前記Ｔ−ＳＣは、その他の端末からのデータを受信した後、受信した情報に対して複雑な処理をする必要がないことを指摘しておく。例えば、前記Ｔ−ＳＣはその他の端末からの情報に識別子情報を付けることにより、どの端末からの情報であるかを識別できる。
4）前記Ｔ−ＳＣは、複数種類のインターフェイスを備え、例として、無線インターフェイス、光インターフェイス、通常ＡＤＳＬインターフェイスを挙げられるが、これらに限定されない。
5）前記Ｔ−ＳＣは、ａｒｍアーキテクチャに基づいて実現できる。Ｔ−ＳＣは、ただ簡略化された基地局の機能を実現できたため、ａｒｍアーキテクチャに基づいた実現方式を用いる。
6）前記Ｔ−ＳＣは、認証機能を有する。
【００８６】
図３に示したように、室内カバレッジの場合実施形態において、壁面の透過の損失により、移動電波が室内に届かない、または室内に届いた時電波が弱くなってしまう。しかし、室内の多くの端末はネットワークとデータ交換を行う需要がある。この場合、Ｔ−ＳＣとして端末３０２は、室内の有線インターフェイス、例えば光インターフェイスによってネットワークに接続し、また、前記Ｔ−ＳＣは小型基地局としてその他の端末にサービスを提供できる。
【００８７】
また、前記Ｔ−ＳＣは、自分のＶＣＩＣ（仮想ＩＤ）としてランダムにいずれかのＩＤを選択し、前記ＩＤは、現在の通信標準がサポートするｃｅｌｌＩＤ範囲の中からランダムに選択して、且つ対応する同期チャネル、システム情報及び後方互換性を保証するために必要な下り情報を送信する。
【００８８】
その他の端末は従来の通信プロセスを利用して、前記特定端末に接続請求及び後続のデータ伝送プロセスを行う。
【００８９】
前記Ｔ−ＳＣは、その他の端末から接続請求を受信した後、認証機能により接続請求を送信した端末が信頼できる端末であるかを判断して、許可するか否かを決める。
【００９０】
前記室内の場合、接続するユーザーの数量、チャネルの条件等方面で比較的安定しているため、前記Ｔ−ＳＣは、例えば、干渉回避機能、複雑なスケジューリングアルゴリズム、ＲＲＭ（Ｒａｄｉｏ Ｒｅｓｏｕｒｃｅ Ｍａｎａｇｅｍｅｎｔ、無線リソース管理）機能等の一部基地局機能を実現しなくてもよいし、さらに、サービスを提供する端末が、端末の機能が比較的高い端末である時、一部の下り情報は伝送しない、或いは長い周期で伝送してもよい。
【００９１】
図４に示したように、室内の場合のもう一つと実施形態において、端末402はＴ−ＳＣとしてＬＴＥ標準下での作業ができ、その他の端末は３Ｇネットワーク下での作業しかできない。その他の端末のデータ伝送速度を向上させるため、以下のようなプロセスにより処理する。
１）Ｔ−ＳＣは、３Ｇ基地局の一部機能をオンにする。
２）その他の端末は、Ｔ−ＳＣに接続し、且つデータ交換を行う。
３）Ｔ−ＳＣは、その他の端末からのデータに対して適切な処理を行い、ＬＴＥ伝送のデータパケットに適するように処理し、例えば、伝送速度マッチング、符号化などの方式によりＬＴＥシステムがサポートするデータパケットのサイズにし、且つＬＴＥのマクロ基地局４０４に送信する。
【００９２】
同様に、図４においてのＴ−ＳＣが高ＬＴＥ機能をサポートする端末形態で、例えばＣＡＴ８端末であると仮定するすると、その他の端末は、低機能を有すＬＴＥ端末で、例えばCAT５端末である。特定端末がキャリアアグリゲーション技術をサポートし、その他の端末は、シングルキャリアしかサポートしないため、特定端末は、キャリア選択技術によってその他の端末により高いデータ伝送速度を提供する。
【００９３】
以上、実施形態において室内の場合を例に挙げて詳しく本発明の技術特徴について説明したが、当業者は、本発明の技術特徴は室内の場合のみではなく、その他環境でも利用し、ネットワークのカバレッジ範囲の拡大とネットワーク電波強度の向上が実現できることを理解すべきてある。
【００９４】
以上、図に基づいて本発明の技術特徴について詳しく説明しており、本発明において端末に基づいた新しい通信方法を提案し、サービス品質と安全性を保証することと共に、セルネットワークのインタラクティビティとデータ伝送速度を向上させ、効率的にコストの削減を実現できた。
【００９５】
以上は本発明の好ましい実施形態でおり、本発明は、上述した実施形態により限定されるものではなく、当業者において、本発明は種々の変形又は修正が可能である。本発明においての任意の修正、同等置換、または改善等は、本発明の請求範囲内に含まれるべきである。
【図１】
2017528048.tif 000003
【図２】
2017528048.tif 000004
【図３】
2017528048.tif 000005
【図４】
2017528048.tif 000006
【国際調査報告】
2017528048.tif 000007
2017528048.tif 000008
2017528048.tif 000009
2017528048.tif 000010